(57)【要約】【課題】予め成形した樹脂基材を配置しつつ型閉めされた型内で樹脂表皮を成形した後、減圧発泡により発泡樹脂芯体を樹脂表皮と一体に成形するべく微小型開きする際に、樹脂表皮が樹脂基材から剥がれてしまうことを抑える。【解決手段】樹脂基材１を基材用型面５１に配置しつつ型閉めされた固定型４０及び可動型５０内に発泡樹脂材料を射出、充填する。このとき、樹脂基材１の厚肉端縁部１１の熱収縮により、樹脂基材１の端縁部外側面１ａ等とこれに対向する基材用型面５１との間に隙間が形成され、この隙間に発泡樹脂材料が侵入する。そして型面で冷却固化された樹脂表皮３の端縁部３１内面と樹脂基材１の端縁部外側面１ａ等とが固着される。樹脂表皮３の端縁部３１等が厚肉端縁部１１等に固着、係止されるため、その後の微小型開きで発泡樹脂材料を減圧発泡させる際に、樹脂表皮３が樹脂基材１から剥がれることを抑制できる。【選択図】        図４
2006015635.tif 000002
【特許請求の範囲】
【請求項１】
樹脂基材と、該樹脂基材の一面上に自己の底面が積層状態で固着された発泡樹脂芯体と、該発泡樹脂芯体の頂面及び側面を連続して囲むように該発泡樹脂芯体の表面に一体に設けられるとともに自己の端部内面が該樹脂基材の少なくとも端縁部外側面に固着された樹脂表皮とを備え、
前記樹脂基材が所定位置に配置されつつ型閉めされた固定型及び可動型の型内に充填され型面に接触する発泡樹脂材料を該型面で冷却して固化させることにより前記樹脂表皮を成形するとともに該樹脂表皮の端部内面を該樹脂基材の少なくとも端縁部外側面に固着した後、該固定型に対して該可動型を離間する方向に所定量移動させて微小型開きされた該固定型及び該可動型の型内で該発泡樹脂材料を減圧発泡させるとともに冷却固化させることにより該樹脂表皮に前記発泡樹脂芯体を一体に成形するとともに該発泡樹脂芯体の底面を該樹脂基材の一面上に固着させてなることを特徴とする表皮付き発泡樹脂部材。
【請求項２】
前記樹脂基材の端縁部が中央の一般部よりも厚さの厚い厚肉端縁部とされていることを特徴とする請求項１記載の表皮付き発泡樹脂部材。
【請求項３】
前記樹脂表皮の端部には、前記端縁部外側面から前記樹脂基材の他面側へ回りこむように屈曲して該他面に係止、固着された屈曲係止部が設けられていることを特徴とする請求項１又は２記載の表皮付き発泡樹脂部材。
【請求項４】
樹脂基材と、該樹脂基材の一面上に自己の底面が積層状態で固着された発泡樹脂芯体と、該発泡樹脂芯体の頂面及び側面を連続して囲むように該発泡樹脂芯体の表面に一体に設けられるとともに自己の端部内面が該樹脂基材の少なくとも端縁部外側面に固着された樹脂表皮とを備えた表皮付き発泡樹脂部材の製造方法であって、
固定型及び該固定型に対して近接又は離間する方向に移動することにより型閉め又は所定量の型開きが可能とされた可動型であって、該固定型及び該可動型のうちの一方が前記樹脂表皮を所定の外形状に成形するための表皮成形用型面を有する一方、該固定型及び該可動型のうちの他方が前記樹脂基材の外形状に対応する形状をもつ基材用型面を有するものを用い、
前記樹脂基材を前記基材用型面に配置しつつ型閉めされた前記固定型及び前記可動型内に形成された第１キャビティ内に、発泡樹脂材料を射出、充填する射出工程と、
前記第１キャビティ内で前記表皮成形用型面に接触する前記発泡樹脂材料を該型面で冷却して固化させることにより、前記樹脂表皮を成形するとともに、該樹脂表皮の端部内面を前記樹脂基材の少なくとも端縁部外側面に固着させる表皮成形工程と、
前記固定型に対して前記可動型を離間する方向に所定量移動させることにより微小型開きし、微小型開きされた該固定型及び該可動型内に形成された第２キャビティ内で、前記発泡樹脂材料を減圧発泡させるとともに冷却固化させることにより、前記樹脂表皮に前記発泡樹脂芯体を一体に成形するとともに、該発泡樹脂芯体の底面を前記樹脂基材の一面上に積層状態で固着させて前記表皮付き発泡樹脂部材を成形する発泡成形工程とを備え、
前記表皮成形工程で前記樹脂表皮を成形する際には、前記樹脂基材の少なくとも端縁部外側面と少なくとも該端縁部外側面に対向する前記基材用型面との間に隙間が形成されているとともに、前記射出工程で前記第１キャビティ内に射出された前記発泡樹脂材料が該隙間に侵入していることを特徴とする表皮付き発泡樹脂部材の製造方法。
【請求項５】
前記表皮付き発泡樹脂部材は、前記樹脂基材の端縁部が中央の一般部よりも厚さの厚い厚肉端縁部とされるとともに、前記樹脂表皮の端部に、前記端縁部外側面から前記樹脂基材の他面側へ回りこむように屈曲して該他面に係止、固着された屈曲係止部が設けられており、
前記射出工程では、端縁部が中央の一般部よりも厚さの厚い厚肉端縁部とされた樹脂基材を前記基材用型面に配置しつつ前記固定型及び前記可動型が型閉めされ、
前記表皮成形工程では、前記樹脂基材の前記端縁部外側面及び前記他面と該端縁部外側面及び該他面に対向する前記基材用型面との間に前記隙間が形成されているとともに、前記射出工程で前記第１キャビティ内に射出された前記発泡樹脂材料が該隙間に侵入しており、該隙間に侵入した該発泡樹脂材料を冷却固化させることにより、前記樹脂表皮の端部内面が該端縁部外側面に固着されるとともに、該他面に係止、固着された前記屈曲係止部が該樹脂表皮の端部に形成されることを特徴とする請求項４記載の表皮付き発泡樹脂部材の製造方法。
【請求項６】
前記射出工程で前記樹脂基材を前記基材用型面に配置した段階で、該樹脂基材の少なくとも端縁部外側面と少なくとも該端縁部外側面に対向する前記基材用型面との間に前記隙間が形成されているように、該基材用型面よりも寸法の小さい樹脂基材を予め射出成形する基材成形工程を、該射出工程の前に実施することを特徴とする請求項４記載の表皮付き発泡樹脂部材の製造方法。
【発明の詳細な説明】
【技術分野】
【０００１】
本発明は表皮付き発泡樹脂部材及びその製造方法に関し、より詳しくは、例えばインストルメントパネル等の車両用内装部品に適用可能な表皮付き発泡樹脂部材及びその製造方法に関する。
【背景技術】
【０００２】
自動車のインストルメントパネルなどの内装部品は、強度と軟質な触感とを併せ持つ必要があるため、一般に、硬質の樹脂基材と、この基材表面に積層された軟質の樹脂表皮とから構成されている。樹脂表皮としては、軟質なＰＶＣあるいはＴＰＯなどから形成されたものが主流であり、さらに軟質な触感を与えるために、樹脂表皮と同種材料又はウレタン等の異種材料よりなる発泡樹脂芯体を樹脂表皮と樹脂基材との間に介在させたものが多い。
【０００３】
このような同種材料よりなる発泡樹脂芯体及び樹脂表皮と、樹脂基材とを備えた表皮付き発泡樹脂部材を製造するには、先ず型閉めされた金型内で樹脂表皮を射出成形によって形成する。その後、型を僅かに開いて微小型開きし、樹脂表皮に発泡樹脂芯体を一体に成形する。次いで、この樹脂表皮と発泡樹脂芯体との一体物を金型内に配置した状態で樹脂基材を射出成形する方法がある（例えば、特許文献１参照）。
【０００４】
詳しくは、化学発泡剤が添加されたＴＰＯ等よりなる発泡樹脂材料を型閉めされた金型内に射出、充填し、型面に接触する発泡樹脂材料を該型面で冷却固化させて樹脂表皮を成形する。その後、樹脂表皮を型面に付着させた状態で、金型を僅かに開いて微小型開きし、未だ溶融状態にある内部の発泡樹脂材料を減圧発泡させるとともに冷却固化させることにより、樹脂表皮と発泡樹脂芯体とを一体に成形する。そして、この樹脂表皮と発泡樹脂芯体との一体物を金型内に配置した状態で、この型内に溶融樹脂を射出、充填し、冷却固化させることで、樹脂基材を一体化させて上記表皮付き発泡樹脂部材を製造する。
【特許文献１】特開２００１−２３９５４４号公報
【発明の開示】
【発明が解決しようとする課題】
【０００５】
ところで、上記従来の表皮付き発泡樹脂部材を製造するにあたって、まず樹脂基材を射出成形により予め成形し、これを型内の所定位置に配置した状態で型閉めし、この型閉めされた型内に発泡樹脂材料を射出、充填する方法も考えられる。この場合、型面に接触する発泡樹脂材料を該型面で冷却固化させることにより樹脂表皮を成形するとともに、この樹脂表皮の端部を樹脂基材の一面上であってその端縁部に固着させる。その後、樹脂表皮を型面に付着させた状態で、金型を僅かに開いて微小型開きし、未だ溶融状態にある樹脂表皮内部の発泡樹脂材料を減圧発泡させるとともに冷却固化させることにより、樹脂表皮と発泡樹脂芯体とを一体に成形するとともに、この発泡樹脂芯体の底面を樹脂基材の一面上（樹脂表皮が固着された前記端縁部以外の中央部）に固着させる。
【０００６】
しかしながら、このような表皮付き発泡樹脂部材の製造方法においては、以下に示すような不都合がある。
【０００７】
すなわち、減圧発泡させるべく微小型開きする際、前工程で成形された樹脂表皮は基本的には型面に付着している。この型面に付着している樹脂表皮が微小型開きの際に型開きの移動量と同じだけ伸びれば問題ないが、樹脂表皮の伸び量が型開きの移動量よりも少なくて樹脂表皮の伸びが型開きに追従しきれないと、樹脂基材から樹脂表皮が剥がれてしまうことがある。この樹脂基材からの樹脂表皮の剥がれは、見栄えが悪くなるとともに、意匠面形状にも悪影響を及ぼすことがあり、成形品質に問題が生じる。
【０００８】
本発明は上記実情に鑑みてなされたものであり、予め成形した樹脂基材を配置しつつ型閉めされた型内で樹脂表皮を成形した後、減圧発泡により発泡樹脂芯体を樹脂表皮と一体に成形するべく微小型開きする際に、樹脂表皮が樹脂基材から剥がれてしまうことにより成形品質が低下してしまうような不都合を解消することを解決すべき技術課題とするものである。
【課題を解決するための手段】
【０００９】
（１）請求項１記載の表皮付き発泡樹脂部材は、樹脂基材と、該樹脂基材の一面上に自己の底面が積層状態で固着された発泡樹脂芯体と、該発泡樹脂芯体の頂面及び側面を連続して囲むように該発泡樹脂芯体の表面に一体に設けられるとともに自己の端部内面が該樹脂基材の少なくとも端縁部外側面に固着された樹脂表皮とを備え、前記樹脂基材が所定位置に配置されつつ型閉めされた固定型及び可動型の型内に充填され型面に接触する発泡樹脂材料を該型面で冷却して固化させることにより前記樹脂表皮を成形するとともに該樹脂表皮の端部内面を該樹脂基材の少なくとも端縁部外側面に固着した後、該固定型に対して該可動型を離間する方向に所定量移動させて微小型開きされた該固定型及び該可動型の型内で該発泡樹脂材料を減圧発泡させるとともに冷却固化させることにより該樹脂表皮に前記発泡樹脂芯体を一体に成形するとともに該発泡樹脂芯体の底面を該樹脂基材の一面上に固着させてなることを特徴とするものである。
【００１０】
この表皮付き発泡樹脂部材は、樹脂基材が所定位置に配置されつつ型閉めされた固定型及び可動型の型内に充填され型面に接触する発泡樹脂材料を該型面で冷却して固化させることにより樹脂表皮を成形するとともにこの樹脂表皮の端部内面を樹脂基材の少なくとも端縁部外側面に固着した後、固定型に対して可動型を離間する方向に所定量移動させて微小型開きされた該固定型及び該可動型の型内で発泡樹脂材料を減圧発泡させるとともに冷却固化させることにより樹脂表皮に発泡樹脂芯体を一体に成形するとともにこの発泡樹脂芯体の底面を樹脂基材の一面上に固着させてなるものである。
【００１１】
ここに、減圧発泡させるべく微小型開きする際、前工程で成形された樹脂表皮は基本的には前記型面に付着している。この型面に付着している樹脂表皮が微小型開きの際に型開きに追従して型開き量と同じだけ伸びれば問題ないが、樹脂表皮の伸び量が型開き量よりも少なくて樹脂表皮の伸びが型開きに追従しきれないと、樹脂基材から樹脂表皮が剥がれてしまうことがある。この樹脂基材からの樹脂表皮の剥がれは、見栄えが悪くなるとともに、意匠面形状にも悪影響を及ぼすことがあり、成形品質に問題が生じる。
【００１２】
この点、この表皮付き発泡樹脂部材は、樹脂表皮の端部内面が樹脂基材の少なくとも端縁部外側面に固着されている。このため、発泡樹脂芯体の底面が固着される樹脂基材の一面上であってその端縁部に樹脂表皮の端面が固着される場合と比較して、樹脂表皮と樹脂基材との接着面積を増大させる上で有利となる。すなわち、樹脂表皮の端面を樹脂基材の一面上に固着させる場合は、両者の接着面積が樹脂表皮の厚さに依存するのに対して、樹脂表皮の端部内面を樹脂基材の端縁部外側面に固着させる場合は、両者の接着面積が樹脂基材の厚さに依存するところ、樹脂表皮よりも樹脂基材の方が容易に板厚を厚くすることができるため、両者の接着面積を増大させる上では後者の方が有利となる。
【００１３】
したがって、この表皮付き発泡樹脂部材では、樹脂表皮の端部内面が樹脂基材の端縁部外側面に比較的強固に固着させることができるため、前記微小型開きの際に樹脂基材から樹脂表皮が剥がれてしまうことを抑えることが可能となる。よって、成形品質を良好に確保することができる。
【００１４】
（２）請求項２記載の表皮付き発泡樹脂部材は、請求項１記載の表皮付き発泡樹脂部材において、前記樹脂基材の端縁部が中央の一般部よりも厚さの厚い厚肉端縁部とされていることを特徴とするものである。
【００１５】
この表皮付き発泡樹脂部材では、樹脂基材の端縁部が厚肉端縁部とされており、この厚肉端縁部の外側面に樹脂表皮の端部内面が固着されている。このため、樹脂基材の端縁部が厚肉とされた分だけ、樹脂表皮と樹脂基材との接着面積を増大させることができる。したがって、前記微小型開きの際に樹脂基材から樹脂表皮が剥がれてしまうことを効果的に抑えることが可能となる。
【００１６】
（３）請求項３記載の表皮付き発泡樹脂部材は、請求項１又は２記載の表皮付き発泡樹脂部材において、前記樹脂表皮の端部には、前記端縁部外側面から前記樹脂基材の他面側へ回りこむように屈曲して該他面に係止、固着された屈曲係止部が設けられていることを特徴とするものである。
【００１７】
この表皮付き樹脂部材では、樹脂基材の端縁部外側面から樹脂基材の他面（発泡樹脂芯体の底面が固着される一面と反対側の面。以下、同様。）側へ回り込むように屈曲して該他面に係止、固着された屈曲係止部が、樹脂表皮の端部に設けられている。このため、端縁部外側面から樹脂基材の他面側へ回り込むように屈曲する屈曲係止部が該他面に固着された分だけ、樹脂表皮と樹脂基材との接着面積を増大させることができる。また、この屈曲係止部と樹脂基材の他面との係止により機械的結合力も発生する。したがって、前記微小型開きの際に樹脂基材から樹脂表皮が剥がれてしまうことをより効果的に抑えることが可能となる。
【００１８】
（４）請求項４記載の表皮付き発泡樹脂部材の製造方法は、樹脂基材と、該樹脂基材の一面上に自己の底面が積層状態で固着された発泡樹脂芯体と、該発泡樹脂芯体の頂面及び側面を連続して囲むように該発泡樹脂芯体の表面に一体に設けられるとともに自己の端部内面が該樹脂基材の少なくとも端縁部外側面に固着された樹脂表皮とを備えた表皮付き発泡樹脂部材の製造方法であって、固定型及び該固定型に対して近接又は離間する方向に移動することにより型閉め又は所定量の型開きが可能とされた可動型であって、該固定型及び該可動型のうちの一方が前記樹脂表皮を所定の外形状に成形するための表皮成形用型面を有する一方、該固定型及び該可動型のうちの他方が前記樹脂基材の外形状に対応する形状をもつ基材用型面を有するものを用い、前記樹脂基材を前記基材用型面に配置しつつ型閉めされた前記固定型及び前記可動型内に形成された第１キャビティ内に、発泡樹脂材料を射出、充填する射出工程と、前記第１キャビティ内で前記表皮成形用型面に接触する前記発泡樹脂材料を該型面で冷却して固化させることにより、前記樹脂表皮を成形するとともに、該樹脂表皮の端部内面を前記樹脂基材の少なくとも端縁部外側面に固着させる表皮成形工程と、前記固定型に対して前記可動型を離間する方向に所定量移動させることにより微小型開きし、微小型開きされた該固定型及び該可動型内に形成された第２キャビティ内で、前記発泡樹脂材料を減圧発泡させるとともに冷却固化させることにより、前記樹脂表皮に前記発泡樹脂芯体を一体に成形するとともに、該発泡樹脂芯体の底面を前記樹脂基材の一面上に積層状態で固着させて前記表皮付き発泡樹脂部材を成形する発泡成形工程とを備え、前記表皮成形工程で前記樹脂表皮を成形する際には、前記樹脂基材の少なくとも端縁部外側面と少なくとも該端縁部外側面に対向する前記基材用型面との間に隙間が形成されているとともに、前記射出工程で前記第１キャビティ内に射出された前記発泡樹脂材料が該隙間に侵入していることを特徴とするものである。
【００１９】
この表皮付き発泡樹脂部材の製造方法では、固定型及びこの固定型に対して近接又は離間する方向に移動することにより型閉め又は所定量の型開きが可能とされた可動型であって、該固定型及び該可動型のうちの一方が樹脂表皮を所定の外形状に成形するための表皮成形用型面を有する一方、該固定型及び該可動型のうちの他方が樹脂基材の外形状に対応する形状をもつ基材用型面を有するものを用いて、樹脂基材と、この樹脂基材の一面上に自己の底面が積層状態で固着された発泡樹脂芯体と、この発泡樹脂芯体の頂面及び側面を連続して囲むように該発泡樹脂芯体の表面に一体に設けられるとともに自己の端部内面が該樹脂基材の少なくとも端縁部外側面に固着された樹脂表皮とを備えた表皮付き発泡樹脂部材を製造する。
【００２０】
すなわち、この製造方法では、樹脂基材を前記基材用型面に配置しつつ型閉めされた前記固定型及び前記可動型の型内に形成された第１キャビティ内に、発泡樹脂材料を射出、充填する（射出工程）。そして、前記第１キャビティ内で前記表皮成形用型面に接触する発泡樹脂材料を該型面で冷却して固化させることにより、樹脂表皮を該表皮成形用型面に沿った形状に成形するとともに、該樹脂表皮の端部内面を樹脂基材の少なくとも端縁部外側面に固着させる（表皮成形工程）。その後、固定型に対して可動型を離間する方向に所定量移動させることにより微小型開きし、微小型開きされた該固定型及び該可動型の型内に形成された第２キャビティ内で、前記発泡樹脂材料を減圧発泡させるとともに冷却固化させることにより、樹脂表皮に発泡樹脂芯体を一体に成形するとともに、該発泡樹脂芯体の底面を樹脂基材の一面上に積層状態で固着させて表皮付き発泡樹脂部材を成形する（発泡成形工程）。
【００２１】
ここに、発泡成形工程で、減圧発泡させるべく微小型開きする際、表皮成形工程で成形された樹脂表皮は基本的には表皮成形用型面に付着している。この表皮成形用型面に付着している樹脂表皮が微小型開きの際に型開きに追従して型開き量と同じだけ伸びれば問題ないが、樹脂表皮の伸び量が型開き量よりも少なくて樹脂表皮の伸びが型開きに追従しきれないと、樹脂基材から樹脂表皮が剥がれてしまうことがある。この樹脂基材からの樹脂表皮の剥がれは、見栄えが悪くなるとともに、意匠面形状にも悪影響を及ぼすことがあり、成形品質に問題が生じる。
【００２２】
この点、この製造方法は、樹脂表皮の端部内面が樹脂基材の少なくとも端縁部外側面に固着された表皮付き発泡樹脂部材を製造する方法であって、前記表皮成形工程で樹脂表皮を成形する際には、樹脂基材の少なくとも端縁部外側面と少なくとも該端縁部外側面に対向する基材用型面との間に隙間が形成されているとともに、前記射出工程で前記第１キャビティ内に射出された前記発泡樹脂材料が該隙間に侵入している。このため、この表皮成形工程では、この隙間に侵入した発泡樹脂材料を冷却固化させることにより、樹脂表皮の端部内面と樹脂基材の少なくとも端縁部外側面とを固着させることができ、発泡樹脂芯体の底面が固着される樹脂基材の一面上であってその端縁部に樹脂表皮の端面が固着される場合と比較して、樹脂表皮と樹脂基材との接着面積を増大させる上で有利となる。すなわち、樹脂表皮の端面を樹脂基材の一面上に固着させる場合は、両者の接着面積が樹脂表皮の厚さに依存するのに対して、樹脂表皮の端部内面を樹脂基材の端縁部外側面に固着させる場合は、両者の接着面積が樹脂基材の厚さに依存するところ、樹脂表皮よりも樹脂基材の方が容易に厚くすることができるため、両者の接着面積を増大させる上では後者の方が有利となる。
【００２３】
したがって、この表皮付き発泡樹脂部材の製造方法では、表皮成形工程で、樹脂表皮の端部内面を樹脂基材の端縁部外側面に比較的強固に固着させることができるため、発泡成形工程で微小型開きする際に樹脂基材から樹脂表皮が剥がれてしまうことを抑えることが可能となる。よって、成形品質を良好に確保することができる。
【００２４】
（５）請求項５記載の表皮付き発泡樹脂部材の製造方法は、請求項４記載の表皮付き発泡樹脂部材の製造方法において、前記表皮付き発泡樹脂部材は、前記樹脂基材の端縁部が中央の一般部よりも厚さの厚い厚肉端縁部とされるとともに、前記樹脂表皮の端部に、前記端縁部外側面から前記樹脂基材の他面側へ回りこむように屈曲して該他面に係止、固着された屈曲係止部が設けられており、前記射出工程では、端縁部が中央の一般部よりも厚さの厚い厚肉端縁部とされた樹脂基材を前記基材用型面に配置しつつ前記固定型及び前記可動型が型閉めされ、前記表皮成形工程では、前記樹脂基材の前記端縁部外側面及び前記他面と該端縁部外側面及び該他面に対向する前記基材用型面との間に前記隙間が形成されているとともに、前記射出工程で前記第１キャビティ内に射出された前記発泡樹脂材料が該隙間に侵入しており、該隙間に侵入した該発泡樹脂材料を冷却固化させることにより、前記樹脂表皮の端部内面が該端縁部外側面に固着されるとともに、該他面に係止、固着された前記屈曲係止部が該樹脂表皮の端部に形成されることを特徴とするものである。
【００２５】
この表皮付き発泡樹脂部材の製造方法では、樹脂基材の端縁部が中央の一般部よりも厚さの厚い厚肉端縁部とされるとともに、樹脂表皮の端部に、前記端縁部外側面から樹脂基材の他面側へ回りこむように屈曲して該他面に係止、固着された屈曲係止部が設けられた表皮付き樹脂部材を製造する。
【００２６】
すなわち、この製造方法では、端縁部が厚肉端縁部とされた樹脂基材を基材用型面に配置しつつ型閉めされた固定型及び可動型の型内に形成された第１キャビティ内に、発泡樹脂材料を射出、充填する（射出工程）。そして、前記表皮成形工程では、樹脂基材の前記端縁部外側面及び前記他面と該端縁部外側面及び該他面に対向する基材用型面との間に前記隙間が形成されているとともに、前記射出工程で前記第１キャビティ内に射出された前記発泡樹脂材料が該隙間に侵入している。このため、この隙間に侵入した該発泡樹脂材料を冷却固化させることにより、前記樹脂表皮の端部内面が該端縁部外側面に固着されるとともに、該他面に係止、固着された前記屈曲係止部が該樹脂表皮の端部に形成される。
【００２７】
したがって、樹脂基材の端縁部が厚肉端縁部とされた分及び端縁部外側面から樹脂基材の他面側へ回り込むように屈曲する屈曲係止部が該他面に固着された分だけ、樹脂表皮と樹脂基材との接着面積を増大させることができる。また、この屈曲係止部と樹脂基材の他面との係止により機械的結合力も発生する。
【００２８】
よって、この表皮付き発泡樹脂部材の製造方法では、表皮成形工程で、樹脂表皮の端部内面を樹脂基材の端縁部外側面及び他面に強固に固着させることができるため、発泡成形工程で微小型開きする際に、樹脂基材から樹脂表皮が剥がれてしまうことをより効果的に抑えることが可能となる。
【００２９】
（６）請求項６記載の表皮付き発泡樹脂部材の製造方法は、請求項４記載の表皮付き発泡樹脂部材の製造方法において、前記射出工程で前記樹脂基材を前記基材用型面に配置した段階で、該樹脂基材の少なくとも端縁部外側面と少なくとも該端縁部外側面に対向する前記基材用型面との間に前記隙間が形成されているように、該基材用型面よりも寸法の小さい樹脂基材を予め射出成形する基材成形工程を、該射出工程の前に実施することを特徴とするものである。
【００３０】
この表皮付き発泡樹脂部材の製造方法では、射出工程で樹脂基材を基材用型面に配置した段階で該樹脂基材の少なくとも端縁部外側面とこれに対向する基材用型面との間に所定の隙間が形成されているように、射出工程の前に実施する基材成形工程で、該基材用型面よりも寸法の小さい樹脂基材を予め射出成形で成形する。このため、この樹脂基材を基材用型面に配置しつつ型閉めされた固定型及び可動型の型内に形成された第１キャビティ内に、発泡樹脂材料を射出、充填する射出工程では、前記隙間に発泡樹脂材料を確実に侵入させることができる。そして、表皮成形工程で、前記隙間に侵入した発泡樹脂材料を冷却固化させることにより、樹脂表皮の端部内面と樹脂基材の少なくとも端縁部外側面とを固着させることができる。
【００３１】
したがって、この表皮付き発泡樹脂部材の製造方法では、表皮成形工程で、樹脂表皮の端部内面を樹脂基材の端縁部外側面に比較的強固に固着させることができるため、発泡成形工程で微小型開きする際に樹脂基材から樹脂表皮が剥がれてしまうことを抑えることが可能となる。
【発明を実施するための最良の形態】
【００３２】
以下、本発明の実施形態について具体的に説明する。
【００３３】
（実施形態１）
本実施形態は、自動車のインストルメントパネル（以下、インパネという）に本発明を適用したものであり、請求項１、２、３、４又は５に記載の発明を具現化したものである。
【００３４】
図１に本実施形態に係る表皮付き発泡樹脂部材としてのインパネ１０の要部断面図を示す。
【００３５】
このインパネ１０は、ＰＰ（ポリプロピレン）製の樹脂基材１と、この樹脂基材１の一面（図１〜図４に示される樹脂基材１の上面。以下、同様。）上に自己の底面が積層状態で固着されたＴＰＯ（熱可塑性オレフィン）製の発泡樹脂芯体２と、この発泡樹脂芯体２の頂面２ａ及び側面２ｂを連続して囲むように発泡樹脂芯体２の表面に一体に設けられるとともに自己の端部３１の内面が樹脂基材１の端縁部に固着された、発泡樹脂芯体２と同種材料よりなるＴＰＯ製の樹脂表皮３とから構成されている。
【００３６】
上記樹脂基材１の端縁部は、中央の一般部よりも厚さの厚い厚肉端縁部１１とされている。また、この樹脂基材１の厚肉端縁部１１の他面（図１〜図４に示される樹脂基材１の下面。以下、同様。）側には、角部が傾斜して欠切された傾斜欠切部１２が設けられている。
【００３７】
ここに、上記厚肉端縁部１１の厚さをＴ、厚肉端縁部１１以外の中央の一般部の厚さをｔとしたとき、Ｔはｔの１．３倍（Ｔ＝１．３ｔ）とされている。なお、厚肉端縁部１１の厚さＴは一般部の厚さｔの１．２〜１．５倍（１．２ｔ≦Ｔ≦１．５ｔ）程度とすることが好ましい。
【００３８】
上記樹脂表皮３の端部３１には、その先端に、樹脂基材１の端縁部外側面１ａから樹脂基材１の他面側へ回りこむように屈曲し、傾斜欠切部１２の傾斜面に対応するように先端に向かうに連れて厚さが薄くされた屈曲係止部３２が設けられている。そして、樹脂表皮３の端部３１の内面（屈曲係止部３２以外の端部３１の内面）が樹脂基材１の端縁部外側面１ａに固着されるとともに、この端部３１の先端に設けられた屈曲係止部３２の内面が傾斜欠切部１２に係止、固着されている。
【００３９】
なお、このインパネ１０は、発泡樹脂芯体２の頂面２ａに対応する部分の樹脂表皮３の表面を意匠面１０ａとしている。そして、インパネ１０の意匠面１０ａと、発泡樹脂芯体２の側面２ｂに対応する部分の樹脂表皮３の表面たるインパネ１０の側面１０ｂとの境界部（意匠面１０ａの端縁部）に角部１０ｃを有しており、この角部１０ｃが、インパネ１０が車両に組み付けられるときに隣接する相手材との意匠面部品合わせ部となる。また、意匠面１０ａと反対側のインパネ１０の裏面においては、樹脂基材１の他面と、傾斜欠切部１２に係止、固着された屈曲係止部３２の他面（固着面と反対側の面）とが面一状態とされている。
【００４０】
上記構成を有するインパネ１０は、以下のようにして製造した。
【００４１】
＜基材成形工程＞
まず、図示しない基材用金型を用いて射出成形することにより、前記厚肉端縁部１１を有する所定形状の樹脂基材１を得た。
【００４２】
一方、射出発泡成形金型を準備した。この射出発泡成形金型は、固定型４０と、固定型４０に対して近接又は離間する方向に移動することにより型閉め又は所定量の型開きが可能とされた可動型５０とから構成されている。固定型４０は、樹脂表皮３を所定の外形状に成形するための表皮成形用型面４１を有している。そして、この表皮成形用型面４１は、図２に示されるように、インパネ１０の意匠面１０ａ部分の樹脂表皮３を成形するための意匠面成形型面４１ａと、インパネ１０の側面１０ｂ部分の樹脂表皮３を成形するための側面成形型面４１ｂとを有している。また、可動型５０は、樹脂基材１の外形状に対応する形状をもつ基材用型面５１を有している。
【００４３】
＜射出工程＞
前記樹脂基材１を可動型５０の基材用型面５１に配置した状態で（図２参照）、固定型４０に対して可動型５０を近接する方向に移動させることにより、固定型４０及び可動型５０を型閉めした。なお、樹脂基材１は基材用型面５１と略同等の寸法となるように予め成形されており、基材用型面５１に配置された樹脂基材１の端縁部外側面１ａと該基材用型面５１との間には、この段階ではほとんど隙間が形成されていない。
【００４４】
そして、この型閉めされた固定型４０及び可動型５０の型内に形成された第１キャビティ内に、発泡樹脂材料（化学発泡剤としてのＣＯ2 が添加されたＴＰＯ）を射出、充填した（図２参照）。
【００４５】
こうして第１キャビティ内に発泡樹脂材料を射出、充填することにより、発泡樹脂材料の熱で樹脂基材１が熱収縮した。このとき、中央の一般部よりも厚さの厚い厚肉端縁部１１で大きく熱収縮した。このため、樹脂基材１の端縁部外側面１ａこれに対向する基材用型面５１との間、及び樹脂基材１の前記他面の端縁部とこれに対向する基材用型面５１との間に隙間が形成され、該他面の端縁部に前記傾斜欠切部１２が形成された。そして、発泡樹脂材料がこれらの隙間に侵入した。
【００４６】
＜表皮成形工程＞
そして、前記第１キャビティ内で表皮成形用型面２１に接触する発泡樹脂材料を該型面２１で冷却して固化させることにより、樹脂表皮３を該表皮成形用型面２１に沿った形状に成形した（図３の状態）。このとき、樹脂表皮３の端部３１の内面が樹脂基材１の端縁部外側面１ａに固着されるとともに、この端部３１の先端に前記屈曲係止部３２が形成され、かつ、この屈曲係止部３２の内面が樹脂基材１の前記傾斜欠切部１２に係止、固着された。
【００４７】
なお、この表皮成形工程後の樹脂表皮３は、厳密にいえば未だ完全には固化していない半固化状態にあり、基本的には表皮成形用型面２１に付着している。
【００４８】
＜発泡成形工程＞
その後、固定型４０に対して可動型５０を離間する方向に所定量移動させることにより固定型４０及び可動型５０を微小型開きした。これにより、微小型開きされた固定型４０及び可動型５０の型内に形成された第２キャビティ内で、樹脂表皮３内で溶融状態にある発泡樹脂材料を減圧発泡させるとともに冷却固化させることにより、樹脂表皮３に発泡樹脂芯体２を一体に成形した（図４の状態）。このとき、発泡樹脂芯体２の底面が樹脂基材１の上に積層された状態で固着された。
【００４９】
なお、この発泡成形工程で微小型開きする際の型開き量は４〜６ｍｍ程度である。
【００５０】
＜脱型工程＞
その後、固定型４０に対して可動型５０を離間する方向にさらに移動させることにより固定型４０及び可動型５０をさらに型開きし、成形品を脱型した。
【００５１】
こうして、樹脂基材１と、この樹脂基材１上に自己の底面が積層状態で固着された発泡樹脂芯体２と、この発泡樹脂芯体２の頂面２ａ及び側面２ｂを連続して囲むように発泡樹脂芯体２の表面に一体に設けられるとともに自己の端部３１が樹脂基材１の端縁部に固着された樹脂表皮３とからなる、樹脂基材１を備えた表皮付き発泡樹脂部材としてのインパネ１０を成形した。
【００５２】
ここに、発泡成形工程で減圧発泡させるべく微小型開きする際、表皮成形工程で成形された樹脂表皮３の伸び量が型開き量よりも少なくて樹脂表皮３の伸びが型開きに追従しきれないと、樹脂基材１の端縁部から樹脂表皮３の端部３１が剥がれてしまうことがある。この樹脂基材１からの樹脂表皮３の剥がれは、見栄えが悪くなるとともに、意匠面１０ａ形状にも悪影響を及ぼすことがあり、成形品質に問題が生じる。
【００５３】
この点、本実施形態では、前記表皮成形工程で樹脂表皮３を成形する際には、樹脂基材１の端縁部外側面１ａ及び前記他面の傾斜欠切部１２とこれらに対向する基材用型面５１との間に隙間が形成されているとともに、前記射出工程で前記第１キャビティ内に射出された前記発泡樹脂材料が該隙間に侵入している。このため、この表皮成形工程では、この隙間に侵入した発泡樹脂材料を冷却固化させることにより、樹脂表皮３の端部３１内面と樹脂基材１の端縁部外側面１ａとを固着させることができるとともに、端部３１の先端に屈曲係止部３２を形成してこの屈曲係止部３２の内面を樹脂基材１の傾斜欠切部１２に係止、固着させることができる。したがって、樹脂表皮３の端部３１の端縁部外側面１ａに固着されるとともにこの端部３１の屈曲係止部３２が傾斜欠切部１２に固着される分、及び樹脂基材１の端縁部が厚肉端縁部１１とされた分だけ、樹脂基材１と樹脂表皮３Ｔの固着面積を増大させることができる。また、屈曲係止部３２と傾斜欠切部１２との係止により機械的結合力も発生する。
【００５４】
よって、表皮成形工程で、樹脂表皮３の端部３１を樹脂基材１の端縁部に強固に固着させることができるため、発泡成形工程で微小型開きする際に樹脂基材１から樹脂表皮３が剥がれてしまうことを効果的に抑えることが可能となる。したがって、インパネ１０の成形品質を良好に確保することができ、意匠面部品合わせ部における成形品質も良好に確保することが可能となる。
【００５５】
また、インパネ１０の側面１０ｂ全体が樹脂表皮３の表面により構成されており、この側面１０ｂには樹脂表皮３と樹脂基材１との接合境界線が表出していないため、インパネ１０の側面１０ｂにおける見栄えが向上する。
【００５６】
（実施形態２）
本実施形態は、実施形態１と同様に自動車のインパネに本発明を適用したものであり、請求項１、４又は６に記載の発明を具現化したものである。
【００５７】
図５に本実施形態に係る射出発泡成形方法により成形された表皮付き発泡樹脂部材としてのインパネ１０の要部断面図を示す。
【００５８】
このインパネ１０における樹脂基材１は、均一の板厚を有するもので、前記厚肉端縁部１１及び傾斜欠切部１２が設けられていない。また、このインパネ１０における樹脂表皮３は、端部３１の先端に前記屈曲係止部３２が設けられておらず、端部３１の内面が樹脂基材１の端縁部外側面１ａに固着されている。その他の構成は、前記実施形態１と同様である。
【００５９】
上記構成を有するインパネ１０は、以下のようにして成形した。
【００６０】
＜基材成形工程＞
まず、図示しない基材用金型を用いて射出成形することにより、後述する射出工程で樹脂基材１を前記基材用型面５１に配置した段階で、樹脂基材１の端縁部外側面１ａとこれ対向する基材用型面５１との間に所定の隙間が形成されているように、基材用型面５１よりも寸法が小さく、均一の板厚を有する樹脂基材１を得た。
【００６１】
一方、前記実施形態１と同様の射出発泡成形金型を準備した。
【００６２】
＜射出工程＞
前記樹脂基材１を可動型５０の基材用型面５１に配置した状態で（図６参照）、固定型４０に対して可動型５０を近接する方向に移動させることにより、固定型４０及び可動型５０を型閉めした。なお、基材用型面５１に配置された樹脂基材１の端縁部外側面１ａと基材用型面５１との間には所定の隙間が形成されている。
【００６３】
そして、この型閉めされた固定型４０及び可動型５０の型内に形成された第１キャビティ内に、発泡樹脂材料（化学発泡剤としてのＣＯ2 が添加されたＴＰＯ）を射出、充填した（図６参照）。
【００６４】
こうして第１キャビティ内に発泡樹脂材料を射出、充填することにより、樹脂基材１の端縁部外側面１ａと基材用型面５１との間の隙間に発泡樹脂材料が侵入した。
【００６５】
なお、発泡樹脂材料の熱で樹脂基材１が若干熱収縮したが、樹脂基材１の前記他面とこれに対向する基材用型面５１との間には隙間がほとんど形成されなかった。
【００６６】
＜表皮成形工程＞
そして、前記第１キャビティ内で表皮成形用型面２１に接触する発泡樹脂材料を該型面２１で冷却して固化させることにより、樹脂表皮３を該表皮成形用型面２１に沿った形状に成形した（図７の状態）。このとき、樹脂表皮３の端部３１の内面が樹脂基材１の端縁部外側面１ａに固着された。
【００６７】
なお、この表皮成形工程後の樹脂表皮３は、厳密にいえば未だ完全には固化していない半固化状態にあり、基本的には表皮成形用型面２１に付着している。
【００６８】
＜発泡成形工程＞
その後、固定型４０に対して可動型５０を離間する方向に所定量移動させることにより固定型４０及び可動型５０を微小型開きした。これにより、微小型開きされた固定型４０及び可動型５０の型内に形成された第２キャビティ内で、樹脂表皮３内で溶融状態にある発泡樹脂材料を減圧発泡させるとともに冷却固化させることにより、樹脂表皮３に発泡樹脂芯体２を一体に成形した（図８の状態）。このとき、発泡樹脂芯体２の底面が樹脂基材１の上に積層された状態で固着された。
【００６９】
なお、この発泡成形工程で微小型開きする際の型開き量は４〜６ｍｍ程度である。
【００７０】
＜脱型工程＞
その後、固定型４０に対して可動型５０を離間する方向にさらに移動させることにより固定型４０及び可動型５０をさらに型開きし、成形品を脱型した。
【００７１】
こうして、樹脂基材１と、この樹脂基材１上に自己の底面が積層状態で固着された発泡樹脂芯体２と、この発泡樹脂芯体２の頂面２ａ及び側面２ｂを連続して囲むように発泡樹脂芯体２の表面に一体に設けられるとともに自己の端部３１内面が樹脂基材１の端縁部外側面１ａに固着された樹脂表皮３とからなる、樹脂基材１を備えた表皮付き発泡樹脂部材としてのインパネ１０を成形した。
【００７２】
ここに、発泡成形工程で減圧発泡させるべく微小型開きする際、表皮成形工程で成形された樹脂表皮３の伸び量が型開き量よりも少なくて樹脂表皮３の伸びが型開きに追従しきれないと、樹脂基材１の端縁部から樹脂表皮３の端部３１が剥がれてしまうことがある。この樹脂基材１からの樹脂表皮３の剥がれは、見栄えが悪くなるとともに、意匠面１０ａ形状にも悪影響を及ぼすことがあり、成形品質に問題が生じる。
【００７３】
この点、本実施形態では、前記表皮成形工程で樹脂表皮３を成形する際には、樹脂基材１の端縁部外側面１ａとこれに対向する基材用型面５１との間に隙間が形成されているとともに、前記射出工程で前記第１キャビティ内に射出された前記発泡樹脂材料が該隙間に侵入している。このため、この表皮成形工程では、この隙間に侵入した発泡樹脂材料を冷却固化させることにより、樹脂表皮３の端部３１内面と樹脂基材１の端縁部外側面１ａとを固着させることができ、樹脂基材１の一面上に樹脂表皮３の端面が固着される場合と比較して、樹脂表皮３と樹脂基材１との固着面積を増大させる上で有利となる。
【００７４】
したがって、本実施形態では、表皮成形工程で、樹脂表皮３の端部３１内面を樹脂基材１の端縁部外側面１ａに比較的強固に固着させることができるため、発泡成形工程で微小型開きする際に樹脂基材１から樹脂表皮３が剥がれてしまうことを抑えることが可能となる。よって、インパネ１０の成形品質を良好に確保することができ、意匠面部品合わせ部における成形品質も良好に確保することが可能となる。
【００７５】
また、インパネ１０の側面１０ｂ全体が樹脂表皮３の表面により構成されており、この側面１０ｂには樹脂表皮３と樹脂基材１との接合境界線が表出していないため、インパネ１０の側面１０ｂにおける見栄えが向上する。
【００７６】
（その他の実施形態）
前述の実施形態１及び実施形態２では、前記固定型４０及び前記可動型５０とは別の基材用金型を用いて樹脂基材１を予め形成し、この樹脂基材１を可動型５０の基材用型面５１にセットする例について説明したが、前記可動型５０を基材用金型の一部（基材用金型を構成する固定型及び可動型のうちの可動型）に併用することもできる。すなわち、基材用固定型と前記可動型５０とを用いて樹脂基材１を射出成形するとともに、成形した樹脂基材１を保持したままの前記可動型５０を前記固定型４０側に移動し、前記固定型４０及び前記可動型５０を型閉めして前記射出工程を実施してもよい。
【００７７】
また、樹脂基材１を構成する樹脂材料は特に限定されるものではなく、前述のＰＰの他にＰＥ等のオレフィン材等を採用することができる。同様に、同種材料よりなる発泡樹脂芯体２及び樹脂表皮３を構成する樹脂材料は特に限定されるものではなく、前述のＴＰＯの他にオレフィン材等を採用することができる。
【図面の簡単な説明】
【００７８】
【図１】本発明の実施形態１に係り、表皮付き発泡樹脂部材としてのインストルメントパネルの要部断面図である。
【図２】本発明の実施形態１に係り、射出工程の様子を示す要部断面図である。
【図３】本発明の実施形態１に係り、表皮成形工程の様子を示す要部断面図である。
【図４】本発明の実施形態１に係り、発泡成形工程の様子を示す要部断面図である。
【図５】本発明の実施形態２に係り、表皮付き発泡樹脂部材としてのインストルメントパネルの要部断面図である。
【図６】本発明の実施形態２に係り、射出工程の様子を示す要部断面図である。
【図７】本発明の実施形態２に係り、表皮成形工程の様子を示す要部断面図である。
【図８】本発明の実施形態２に係り、発泡成形工程の様子を示す要部断面図である。
【符号の説明】
【００７９】
１…樹脂基材                      １ａ…端縁部外側面
２…発泡樹脂芯体                  ２ａ…頂面
２ｂ…側面                            ３…樹脂表皮
１１…厚肉端縁部                    １２…傾斜欠切部
３１…端部                          ３２…屈曲係止部
４０…固定型                        ４１…表皮成形用型面
４１ａ…意匠面成形型面              ４１ｂ…側面成形型面
５０…可動型                        ５１…基材用型面
【図１】
2006015635.tif 000003
【図２】
2006015635.tif 000004
【図３】
2006015635.tif 000005
【図４】
2006015635.tif 000006
【図５】
2006015635.tif 000007
【図６】
2006015635.tif 000008
【図７】
2006015635.tif 000009
【図８】
2006015635.tif 000010